(57)【特許請求の範囲】
【請求項１】
取付部に固設された固定部と、先端にシャワーヘッドが取りつけられたホースが接続されるとともに該固定部に回動自在に支持された屈曲形状のエルボとを備えたハンドシャワー用のエルボ取付構造であって、
前記エルボの回動範囲を規制する回動規制手段を備え、
該回動規制手段は、前記固定部側に設けられた当接部と、前記エルボ側に設けられた被当接部とが当接することによりエルボの回動範囲を規制するとともに、
前記当接部又は前記被当接部の一方が、外周にセレーションが刻設されるとともに前記固定部側又は前記エルボ側の一方にセレーション噛合により回動不能に装着されたブッシュに設けられていることを特徴とするハンドシャワー用のエルボ取付構造。
【請求項２】
前記ブッシュの外周面、又は前記ブッシュが嵌入される前記固定部側又は前記エルボ側のセレーションに溝が設けられ、該溝に、前記ブッシュ、又は前記固定部若しくは前記エルボを押圧して前記ブッシュの脱落を防止する弾性部材が装着されたことを特徴とする請求項１に記載のハンドシャワー用のエルボ取付構造。
【発明の詳細な説明】
【０００１】
【発明の属する技術分野】
本各発明は、取付部に固設された固定部と、先端にシャワーヘッドが取りつけられたホースが接続されるとともに該固定部に回動自在に支持された屈曲形状のエルボとを備えたハンドシャワー用のエルボ取付構造に関する。
【０００２】
【従来の技術】
従来、取付部に固設された固定部と、先端にシャワーヘッドが取りつけられたホースが接続されるとともに該固定部に回動自在に支持された屈曲形状のエルボとを備えたハンドシャワー用のエルボ取付構造が知られている。このようなエルボ取付構造は、エルボを回動可能に設けることにより、使用者がシャワーヘッドを手で保持して使用する際等に、ホースのとり回しを円滑に行わせ、ハンドシャワーの使い勝手を良好にするものである。
【０００３】
【発明が解決しようとする課題】
しかしながら、このような従来のエルボ取付構造では以下のような問題が生じていた。カウンターの立ち上がり面等の取付部に回動可能なエルボが取り付けられている場合、エルボが大きく回動されることにより、エルボ自体や、エルボにホースを取り付けるためにこのエルボに取り付けられた口金がカウンターの上面に接触してしまい、不快な接触音が発生したり、カウンターの表面を傷つけてしまう虞がある。また、浴室壁面に設置されたミラーキャビネット等の側面にエルボが取り付けられているような場合にも、同様にエルボ等が接触して不快な接触音を発生させたり、壁面を傷つける虞等がある。さらに、給水栓の水栓本体に回動可能なエルボが取り付けられている場合には、水栓本体下方のカウンターや収納スペースに置かれたシャンプー容器等にエルボ等が接触して容器を倒したり、ホースのとり回しに不具合が生じ、ハンドシャワーの使い勝手が悪くなる虞がある。
【０００４】
本各発明は上記した従来のハンドシャワー用のエルボ取付構造の問題点を解消するものであり、エルボが取り付けられる取付部近傍のカウンターや壁面等の損傷を防止することができ、また、ホースのとり回しを良好にして使い勝手の良いハンドシャワー用のエルボ取付構造を提供することを目的とする。また、より使い勝手の良いハンドシャワー用のエルボ取付構造を提供することも目的とする。また、エルボの回動方向や回動範囲を簡便に変更することのできる汎用性の高いハンドシャワー用のエルボ取付構造を提供することも目的とする。また、請求項２の発明では、ブッシュの組付の容易な作業性の良いハンドシャワー用のエルボ取付構造を提供することも目的とする。
【０００５】
【課題を解決するための手段】
以上の課題を解決するために、本各発明の採った手段を以下に説明する。本発明の請求項１に記載のハンドシャワー用のエルボ取付構造は、「取付部に固設された固定部と、先端にシャワーヘッドが取りつけられたホースが接続されるとともに該固定部に回動自在に支持された屈曲形状のエルボとを備えたハンドシャワー用のエルボ取付構造であって、前記エルボの回動範囲を規制する回動規制手段を備え、該回動規制手段は、前記固定部側に設けられた当接部と、前記エルボ側に設けられた被当接部とが当接することによりエルボの回動範囲を規制するとともに、前記当接部又は前記被当接部の一方が、外周にセレーションが刻設されるとともに前記固定部側又は前記エルボ側の一方にセレーション噛合により回動不能に装着されたブッシュに設けられていることを特徴とするハンドシャワー用のエルボ取付構造」である。
【０００６】
シャワーヘッドが先端に取りつけられたホースが接続されるハンドシャワーでは、ホースをとり回す際に、ホースの他端が接続されたエルボが、ホースにしたがって回動する。このエルボの回動範囲を規制することにより、取付部近傍のカウンターや壁面等にエルボ等が接触しないようにすることができ、カウンター等の損傷等を防止できる。また、エルボの回動範囲を規制できるので、カウンターや取付部近傍に置かれるシャンプー容器等にホースが引っかかる虞を低減でき、ホースのとり回しを容易にすることができる。
【０００７】
ここで「取付部」とは、エルボが固定部を介して取り付けられる部位、具体的にはカウンターやキャビネット等をいう。また、「固定部」は、この取付部と別体に設けられると、一体的に設けられるとを問わないものである。
【０００９】
また、回動規制手段は、固定部側に設けられた当接部と、エルボ側に設けられた被当接部とが当接することによりエルボの回動範囲を規制するものとすることにより、エルボの回動方向においてエルボに干渉する規制突起をカウンター等に直接配設するものなどに比べて、突起物がカウンターや壁面等に露呈することがないので、エルボ取付構造の周辺の美観を損なうことがない。また、ホースが回動規制手段に引っかかるなどしてホースのとり回しを妨げる虞も少なくすることができる。
【００１１】
また、外周にセレーションが刻設され、セレーション噛合により固定部又はエルボのいずれかに回動不能に装着されるブッシュを用いることとし、このブッシュに、上記した当接部又は被当接部の一方を設けた構成を採用することにより、ブッシュの周方向のセレーション噛合の位置決めを変更するだけでエルボの回動方向を簡便に変えることができる。また、当接部又は被当接部が設けられる位置が異なる別のブッシュに変更することにより、エルボの回動範囲を簡便に変えることもできる。よって、設置場所に応じて回動方向又は回動範囲を簡便に変更することができる。
【００１２】
本発明の請求項２に記載のハンドシャワー用のエルボ取付構造は、「前記ブッシュの外周面、又は前記ブッシュが嵌入される前記固定部側又は前記エルボ側のセレーションに溝が設けられ、該溝に、前記ブッシュ、又は前記固定部若しくは前記エルボを押圧して前記ブッシュの脱落を防止する弾性部材が装着されたことを特徴とする請求項１に記載のハンドシャワー用のエルボ取付構造」である。
【００１３】
このようにブッシュの抜け止めを行うことにより、ブッシュが組付途中で脱落し難くブッシュの組み付け作業を容易に行うことができる。また、溝への弾性部材の装着という簡便な手段で抜け止めを行うことができる。
【００１４】
【発明の実施の形態】
次に、請求項１から請求項２までの各発明を適用したハンドシャワー用のエルボ取付構造の実施の形態を図１及び図２を参考にして詳細に説明する。図１に示すように、本実施の形態のエルボ取付構造１０は、浴室１内の浴槽２の傍らに設置されたカウンター３の洗面器置き台４から立設された立ち上がり面である取付部５に設けられている。洗面器置き台４は、洗面器（図示省略）を載置してハンドシャワー６や吐水口（図示省略）から洗面器に吐水を行うために設けられているものである。
【００１５】
ここで、ホース１２が接続されたエルボ１４は、取付部５に対してカウンター３の前後方向に回動可能に設けられており、ハンドシャワー６を手に保持し、立ち上がって身体にシャワーを浴びたり、あるいは上記したように洗面器等に吐水を行ったりする際に、ホース１２の動きに従って回動し、ホース１２を容易にとり回すことができるように設けられている。また、略Ｌ字状の屈曲形状のエルボ１４を用いて、ホース１２の端部が洗面置き台４中央方向に向かないように設けることにより、洗面器置き台４上に載置された洗面器等にホース１２が干渉しないようにすることができるので、ハンドシャワー６の使い勝手を向上させることもできる。
【００１６】
次いで、図２を参照してエルボ取付構造１０の詳細について説明する。エルボ取付構造１０は、取付部５に穿設された取付孔７に固定されている。取付部５の裏側には、湯水混合水栓（図示省略）に接続された配管８が引き回されている。そして、この配管８に接続された固定部１６が取付部５に固設されている。
【００１７】
固定部１６には、鍔部１８が周設された略円筒形状のベース部材１９と、当接部４６が設けられたブッシュ４０が備えられている。ベース部材１９の鍔部１８より基端側には、配管８が螺着接続されるネジ部２０が設けられており、鍔部１８より先端側には、後述するナット２４が螺着されるネジ部２２が設けられている。ネジ部２２の外径は取付孔７よりも小径に設けられており、このネジ部２２が取付部５裏側から取付孔７に挿通されると共に、取付孔７よりも大径に設けられた鍔部１８が取付孔７周縁に当接して、ベース部材１９の取付孔７挿通方向における位置決めが行われている。また、取付部５表側からネジ部２２に螺着されたナット２４とこの鍔部１８とで取付部５を狭持することによりベース部材１９が取付部５に固定され、もって固定部１６が取付部５に固設されている。なお、ナット２４と取付部５との間にはシートパッキン２６が介在されて水密が図られている。
【００１８】
取付孔７の近傍の取付部５にはネジ２８が挿嵌される孔９が穿設されている。また、鍔部１８にはネジ２８が螺着されるネジ孔３０が設けられている。そして、このネジ２８が、ネジ孔３０に螺着されると共に孔９に挿嵌されてベース部材１９の取付部５に対する回動（位置ずれ）が規制されている。
【００１９】
また、ベース部材１９の内周面には、ブッシュ４０がセレーション噛合するセレーション溝３２が刻設されている。また、このセレーション溝３２の奥端には、ブッシュ４０の外周面を押圧するＯリング３４が装着される溝３６が周設されている。また、溝３６よりもさらに奥端側のベース部材１９内周面は、ブッシュ４０の外径よりも小径とされており、溝３６との段部３８によりブッシュ４０が奥端側に移動しないよう位置決めを行っている。なお、ベース部材１９が金属製であり、セレーション溝３２が切削により形成される場合には、セレーション溝３２奥側に逃しの溝を形成する必要があるが、本例では、この溝をＯリング３４装着用の溝３６として流用している。また、ネジ部２２先端内周面には、後述するＸパッキン６０が装着される凹部３９が周設されている。
【００２０】
ブッシュ４０には、セレーション溝３２に噛合するセレーション溝４４がその外周面に刻設されている。また、その先端側には、エルボ１４の被当接部６６に当接可能に設けられた当接部４６が突設されている。上記したように、ブッシュ４０は、ベース部材１９の内部にセレーション噛合されて回動不能に取り付けられている。さらに、溝３６に装着されたＯリング３４に押圧された状態に置かれることにより、ベース部材１９内部からの脱落し難く設けられている。
【００２１】
次いで、固定部１６に回動自在に支持されたエルボ１４について説明する。エルボ１４は略Ｌ字状の屈曲形状とされており、固定部１６側に接続される固定部側接続部５０と、ホース１２側に接続されるホース側接続部５２とを備えている。固定部側接続部５０の外周面には凹部５４が周設されており、この凹部５４に係合する割りリング５６を介在させて、固定部側接続部５０に挿嵌された袋ナット５８を固定部１６のネジ部２２に螺着固定することにより、エルボ１４が固定部１６に回動自在に支持されている。また、上記したように、ネジ部２２の凹部３９内にＸパッキン６０が装着され、エルボ１４と固定部１６との水密が図られている。一方、ホース側接続部５２には、口金６２が螺着されてホース１２が接続されるネジ部６４が設けられている。
【００２２】
固定部側接続部５０先端には、固定部側接続部５０端部に沿って突設された被当接部６６が備えられている。上記したように、エルボ１４は固定部１６に対して回動自在に設けられているが、エルボ１４の回動に従って回動される被当接部６６が、ベース部材１９にセレーション噛合されたブッシュ４０の当接部４６に当接されることにより、エルボ１４の回動範囲が規制される。本例では、図１に示すように、エルボ１４のホース側接続部５２が下方向を向かないように当接部４６・被当接部６６の対応関係が決められており、これにより、洗面器置き台４に口金６２やエルボ１４自体が接触しないように設けられている。
【００２３】
このエルボ取付構造１０では、ベース部材１９に対するブッシュ４０の周方向における取付の向きを変更することにより当接部４６の位置を変更することができ、この当接部４６に当接される被当接部６６を備えたエルボ１４の回動可能な方向を簡便に変更することができる。また、当接部の大きさや形状等が異なるブッシュに変更することにより、エルボ１４の回動範囲をブッシュの変更だけで極めて簡便に変更することができる。このようにして、ハンドシャワーの設置場所に応じたエルボ１４の回動規制を極めて簡便に実現できる。なお、これらの回動方向や回動範囲の変更は、エルボ１４側の被当接部６６の変更によっても実現可能であるが、この場合はエルボ１４全体を変更する必要があるため、本例のようにブッシュ４０を用いて、このブッシュ４０のみの変更により回動方向や回動範囲の変更を可能に構成することが望ましい。
【００２４】
また、本例では、ブッシュ４０は固定部１６に備えられ、ベース部材１９側にセレーション噛合されるものとしたが、これに限られず、ブッシュをエルボ１４側にセレーション噛合させることとしても良い。
【００２５】
次いで、図３を参考にして、本エルボ取付構造１０を用いた別のハンドシャワー７０について説明する。図３は、浴室１の壁面７２に取り付けられたキャビネット７４の側面にエルボ１４が取り付けられたものである。なお、以下、上記した第一の実施の形態と共通する構成については、第一の実施の形態と同一の符号を図に付して説明を省略する。キャビネット７４は上部前面に鏡７６が取り付けられており、その鏡７６の下方には水栓本体７８が設置されている。ハンドシャワー７０はこの水栓本体７８に接続されており、エルボ１４はキャビネット７４内に引き回されて水栓本体７８に接続された配管（図示省略）に接続されている。
【００２６】
このハンドシャワー７０では、エルボ１４は壁面７２の前方に配設されているが、エルボ１４の所定範囲外の回動を規制することにより、壁面７２に貼られたタイルなどにエルボ１４等が接触して損傷させないように設けられている。
【００２７】
次いで、図４を参考にして、本エルボ取付構造１０を用いたさらに別のハンドシャワー８０について説明する。図４は、カウンター８２の洗面器置き台８４の後方に立設された立壁面８６に固設された水栓本体８８の下面にエルボ１４が取り付けられたものである。このようなハンドシャワー８０では、洗面器置き台８４上に洗面器（図示省略）を載置したままハンドシャワー８０を使用することもある。よって、屈曲形状のエルボ１４を用い、ホース１２が垂れ下がって洗面器置き台８４上の洗面器に干渉しないように設けられているのであるが、一方では、エルボ１４が無用に回動すると、例えば、洗面器置き台８４の後方や、図示は省略するが立壁面８６に容器収納部等が設けられている場合に、これらに置かれたシャンプー容器等（図示省略）にエルボ１４等が引っかかり、シャンプー容器を倒したりホース１２が引っかかってとり回しの妨げになるなどハンドシャワー８０の使い勝手が悪化する。
【００２８】
そこでこのようなハンドシャワー８０に、エルボ取付構造１０を用いることにより、エルボ１４の無用な回動を規制することができ、ハンドシャワー８０の使い勝手を良好なものとすることができる。
【００２９】
【発明の効果】
本各発明は上記のように構成されているので、エルボが取り付けられる取付部近傍のカウンターや壁面等の損傷を防止することができ、また、ホースのとり回しを良好にして使い勝手の良いハンドシャワー用のエルボ取付構造とすることができる。また、エルボの回動方向や回動範囲を簡便に変更することのできる汎用性の高いハンドシャワー用のエルボ取付構造とすることもでき、請求項２の発明では、ブッシュの組付の容易な作業性の良いハンドシャワー用のエルボ取付構造とすることもできる。
【図面の簡単な説明】
【図１】エルボ取付構造を用いたハンドシャワーの斜視図である。
【図２】図１のエルボ取付構造の縦断面図である。
【図３】エルボ取付構造を用いた別のハンドシャワーの斜視図である。
【図４】エルボ取付構造を用いたさらに別のハンドシャワーの側面図である。
【符号の説明】
１；浴室、２；浴槽、３；カウンター、４；洗面器置き台、５；取付部、６；ハンドシャワー、７；取付孔、８；配管、９；孔、１０；エルボ取付構造、１２；ホース、１４；エルボ、１６；固定部、１８；鍔部、１９；ベース部材、２０；ネジ部、２２；ネジ部、２４；ナット、２６；シートパッキン、２８；ネジ、３０；ネジ孔、３２；セレーション溝、３４；Ｏリング、３６；溝、３８；段部、３９；凹部、４０；ブッシュ、４４；セレーション溝、４６；当接部、５０；固定部側接続部、５２；ホース側接続部、５４；凹部、５６；割りリング、５８；袋ナット、６０；Ｘパッキン、６２；口金、６４；ネジ部、６６；被当接部、７０；ハンドシャワー、７２；壁面、７４；キャビネット、７６；鏡、７８；水栓本体、８０；ハンドシャワー、８２；カウンター、８４；洗面器置き台、８６；立壁面、８８；水栓本体。
【図１】
0004753501.tif 000002
【図２】
0004753501.tif 000003
【図３】
0004753501.tif 000004
【図４】
0004753501.tif 000005